(57)【要約】      （修正有）【課題】レンズ鏡筒の種類に応じ、適切な力でレンズ鏡筒を付勢できるカメラシステムを提供する。【解決手段】カメラ側爪部１０３を備えるカメラ１００と、撮影レンズ２１０、及び該カメラ側爪部１０３と係合するレンズ側爪部２０３を備えるとともに該レンズ側爪部２０３と前記カメラ側爪部１０３とを係合させることにより前記カメラ１００に対して装着可能なレンズ鏡筒２００と、を具備するカメラシステム１であって、前記カメラ１００は、前記レンズ側爪部２０３と前記カメラ側爪部１０３とが係合した状態で前記レンズ鏡筒２００と前記カメラ１００との間の締結が強くなる方向に前記レンズ鏡筒２００を付勢するとともに、それ自身の付勢力が調整可能な付勢手段を備え、前記レンズ鏡筒２００は、前記付勢手段の前記付勢力を調整する付勢力調整手段２０６を備える。【選択図】図１
2010066576.tif 000002
【特許請求の範囲】
【請求項１】
カメラ側爪部を備えるカメラと、撮影レンズ、及び該カメラ側爪部と係合するレンズ側爪部を備えるとともに該レンズ側爪部と前記カメラ側爪部とを係合させることにより前記カメラに対して装着可能なレンズ鏡筒と、を具備するカメラシステムであって、
前記カメラは、前記レンズ側爪部と前記カメラ側爪部とが係合した状態で前記レンズ鏡筒と前記カメラとの間の締結が強くなる方向に前記レンズ鏡筒を付勢するとともに、それ自身の付勢力が調整可能な付勢手段を備え、
前記レンズ鏡筒は、前記付勢手段の前記付勢力を調整する付勢力調整手段を備えること、
を特徴とするカメラシステム。
【請求項２】
請求項１に記載のカメラシステムであって、
前記レンズ鏡筒において、前記付勢力調整手段は、前記レンズ鏡筒のレンズ側マウント部に設けられ、且つ前記撮影レンズの光軸方向に延びた突起を含み、
前記突起の有無または該突起の前記光軸方向への突出量によって、前記付勢手段の付勢力が調整されることを特徴とするカメラシステム。
【請求項３】
請求項２に記載のカメラシステムであって、
前記突起の前記光軸方向の突出量は、前記レンズ鏡筒の種類により異なること、
を特徴とするカメラシステム。
【請求項４】
請求項２または３に記載のカメラシステムであって、
前記カメラにおいて、前記付勢手段は、湾曲部を有するとともに該湾曲部の一端側がカメラ側マウント部に固定された板バネであり、
該カメラは、前記レンズ鏡筒の装着により前記突起によって前記光軸方向に移動される連動部材を有するとともに該連動部材の移動量に応じて前記湾曲部の他端側の位置を一端側に対して移動させる移動部を備えること、
を特徴とするカメラシステム。
【請求項５】
請求項４に記載のカメラシステムであって、
前記板バネは前記撮影レンズの前記光軸を中心とした円周に沿って延在し、
前記移動部は、前記レンズ鏡筒を前記カメラに装着する装着動作の際の、前記連動部材の前記突起による前記光軸方向の移動に伴い、前記板バネの前記他端側を前記円周に沿って移動させること、
ことを特徴とするカメラシステム。
【請求項６】
請求項４に記載のカメラシステムであって、
前記板バネは光軸を中心とした円周に沿って延在し、
前記移動部は、前記レンズ鏡筒を前記カメラに装着する装着動作の際の、前記連動部材の前記突起による前記光軸方向の移動に伴い、前記板バネの前記他端側を前記光軸方向に移動させること、
を特徴とするカメラシステム。
【請求項７】
請求項１〜６のいずれか１項に記載のカメラシステムであって、
前記付勢手段は、前記レンズ鏡筒を前記カメラから離れる方向に付勢すること、
を特徴とするカメラシステム。
【請求項８】
カメラ側爪部を備え、撮影レンズ、及び該カメラ側爪部をレンズ鏡筒側に設けられたレンズ側爪部と係合させることにより前記レンズ鏡筒を装着可能なカメラであって、
前記レンズ側爪部と前記カメラ側爪部とが係合した状態で前記レンズ鏡筒と前記カメラとの間の締結が強くなる方向に前記レンズ鏡筒を付勢するとともに、それ自身の付勢力が調整可能な付勢手段を備えること、
を特徴とするカメラ。
【請求項９】
請求項８に記載のカメラであって、
前記付勢手段は、湾曲部を有するとともに該湾曲部の一端側がカメラ側マウント部に固定された板バネであり、
前記レンズ鏡筒の装着により光軸方向に移動される連動部材を有するとともに該連動部材の移動量に応じて前記湾曲部の他端側の位置を一端側に対して移動させる移動部を備えること、
を特徴とするカメラ。
【請求項１０】
請求項９に記載のカメラであって、
前記連動部材の移動量は、前記レンズ鏡筒の種類により異なること、
を特徴とするカメラ。
【請求項１１】
請求項９または１０に記載のカメラであって、
前記板バネは前記撮影レンズの光軸を中心とした円周に沿って延在し、
前記移動部は、前記レンズ鏡筒を前記カメラに装着する装着動作の際の、前記連動部材の前記光軸方向の移動に伴い、前記板バネの前記他端側を前記円周に沿って移動させること、
を特徴とするカメラ。
【請求項１２】
請求項９または１０に記載のカメラであって、
前記板バネは光軸を中心とした円周に沿って延在し、
前記移動部は、前記レンズ鏡筒を前記カメラに装着する装着動作の際の、前記連動部材の前記光軸方向の移動に伴い、前記板バネの前記他端側を前記光軸方向に移動させること、
を特徴とするカメラ。
【請求項１３】
請求項８〜１２のいずれか１項に記載のカメラであって、
前記付勢手段は、前記レンズ鏡筒を前記カメラから離れる方向に付勢すること、
を特徴とするカメラ。
【請求項１４】
レンズ鏡筒側に設けられたレンズ側爪部とカメラ側に設けられたカメラ側爪部とが係合した状態で前記レンズ鏡筒と前記カメラとの間の締結が強くなる方向に前記レンズ鏡筒を付勢するとともに、それ自身の付勢力が調整可能な付勢手段を備えるカメラに対して装着可能なレンズ鏡筒であって、
前記付勢力を調整する付勢力調整手段を備えること、
を特徴とするレンズ鏡筒。
【請求項１５】
請求項１４に記載のレンズ鏡筒であって、
前記付勢力調整手段は、前記レンズ鏡筒のレンズ側マウント部に設けられ、且つ前記レンズ鏡筒の光軸方向に延びた突起を含み、
前記突起の有無または該突起の前記光軸方向への突出量によって、前記付勢手段の付勢力は調整されることを特徴とするレンズ鏡筒。
【請求項１６】
請求項１５に記載のレンズ鏡筒であって、
前記突起の前記光軸方向の突出量は、前記レンズ鏡筒の種類により異なること、
を特徴とするレンズ鏡筒。
【請求項１７】
請求項１５または１６に記載のレンズ鏡筒であって、
該突起は、前記付勢手段が湾曲部を有するとともに該湾曲部の一端側がカメラ側マウント部に固定された板バネであって、連動部材を有するとともに該連動部材の移動量に応じて前記湾曲部の他端側の位置を一端側に対して移動させる移動部を備えるカメラにおいて、前記レンズ鏡筒の装着により前記連動部材を前記光軸方向に移動させること、
を特徴とするレンズ鏡筒。
【請求項１８】
請求項１４〜１７のいずれか１項に記載のレンズ鏡筒であって、
前記付勢手段により、前記カメラから離れる方向に付勢されること、を特徴とするレンズ鏡筒。
【発明の詳細な説明】
【技術分野】
【０００１】
本発明は、カメラとレンズ鏡筒とを備えるカメラシステム、そのカメラ及びそのレンズ鏡筒に関するものである。
【背景技術】
【０００２】
従来、カメラとレンズ鏡筒とを備えるカメラシステムにおいて、レンズ鏡筒にはレンズ側爪部が設けられ、カメラ側にはそのレンズ側爪部が掛合するカメラ側爪部が設けられている。そしてカメラには、レンズ側爪部とカメラ側爪部とが係合した状態でレンズ鏡筒とカメラとの間の締結が強くなるように、レンズ鏡筒を付勢する付勢部材が設けられているものがある（例えば、特許文献１参照）。
【特許文献１】特開２００４−１０２００５号公報
【発明の開示】
【発明が解決しようとする課題】
【０００３】
しかし、カメラ側の付勢力が一定の場合、例えば短くて軽いレンズ鏡筒に対しては十分な付勢力であっても、長くて重いレンズ鏡筒に対しては、マウント部に加わるモーメントの関係レンズ鏡筒が傾きやすくなるため、締結力が不十分となる可能性がある。また、太いレンズと細いレンズにおいて一定の力でレンズ鏡筒を回転させた場合、太いレンズ鏡筒は、半径が大きいため回転モーメントが大きくなり回転が容易に感じるが、小さいレンズ鏡筒は半径が小さいため回転モーメントが小さくなり回転しにくく感じる。
【０００４】
本発明は、レンズ鏡筒の種類に応じ、適切な力でレンズ鏡筒を付勢できるカメラシステム、カメラ及びレンズ鏡筒を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、カメラ側爪部（１０３）を備えるカメラ（１００）と、撮影レンズ（２１０）、及び該カメラ側爪部（１０３）と係合するレンズ側爪部（２０３）を備えるとともに該レンズ側爪部（２０３）と前記カメラ側爪部（１０３）とを係合させることにより前記カメラ（１００）に対して装着可能なレンズ鏡筒（２００）と、を具備するカメラシステム（１）であって、前記カメラ（１００）は、前記レンズ側爪部（２０３）と前記カメラ側爪部（１０３）とが係合した状態で前記レンズ鏡筒（２００）と前記カメラ（１００）との間の締結が強くなる方向に前記レンズ鏡筒（２００）を付勢するとともに、それ自身の付勢力が調整可能な付勢手段（３０２）を備え、前記レンズ鏡筒（２００）は、前記付勢手段（３０２）の前記付勢力を調整する付勢力調整手段（２０６）を備えること、を特徴とするカメラシステム（１）である。
請求項２に記載の発明は、請求項１に記載のカメラシステム（１）であって、前記レンズ鏡筒（２００）において、前記付勢力調整手段は、前記レンズ鏡筒（２００）のレンズ側マウント部（２０１）に設けられ、且つ前記撮影レンズ（２１０）の光軸方向に延びた突起（２０６）を含み、前記突起（２０６）の有無または該突起（２０６）の前記光軸方向への突出量によって、前記付勢手段（３０２）の付勢力が調整されることを特徴とするカメラシステム（１）である。
請求項３に記載の発明は、請求項２に記載のカメラシステム（１）であって、前記突起（２０６）の前記光軸方向の突出量は、前記レンズ鏡筒（２００）の種類により異なること、を特徴とするカメラシステム（１）である。
請求項４に記載の発明は、請求項２または３に記載のカメラシステム（１）であって、前記カメラ（１００）において、前記付勢手段（３０２）は、湾曲部（３０２ａ）を有するとともに該湾曲部（３０２ａ）の一端側（３０２ｂ）がカメラ側マウント部（１０１）に固定された板バネ（３０２）であり、該カメラ（１００）は、前記レンズ鏡筒（２００）の装着により前記突起（２０６）によって前記光軸方向に移動される連動部材（１１３）を有するとともに該連動部材（１１３）の移動量に応じて前記湾曲部（３０２ａ）の他端側（３０２ｃ）の位置を一端側（３０２ｂ）に対して移動させる移動部（３０５）を備えること、を特徴とするカメラシステム（１）である。
請求項５に記載の発明は、請求項４に記載のカメラシステム（１）であって、前記板バネ（３０２）は前記撮影レンズ（２１０）の前記光軸を中心とした円周に沿って延在し、前記移動部（３０５）は、前記レンズ鏡筒（２００）を前記カメラ（１００）に装着する装着動作の際の、前記連動部材（１１３）の前記突起（２０６）による前記光軸方向の移動に伴い、前記板バネ（３０２）の前記他端側（３０２ｃ）を前記円周に沿って移動させること、ことを特徴とするカメラシステム（１）である。
請求項６に記載の発明は、請求項４に記載のカメラシステム（１）であって、前記板バネ（３０２）は光軸を中心とした円周に沿って延在し、前記移動部（３０５）は、前記レンズ鏡筒（２００）を前記カメラ（１００）に装着する装着動作の際の、前記連動部材（１１３）の前記突起（２０６）による前記光軸方向の移動に伴い、前記板バネ（３０２）の前記他端側（３０２ｃ）を前記光軸方向に移動させること、を特徴とするカメラシステム（１）である。
請求項７に記載の発明は、請求項１〜６のいずれか１項に記載のカメラシステム（１）であって、前記付勢手段（３０２）は、前記レンズ鏡筒（２００）を前記カメラ（１００）から離れる方向に付勢すること、を特徴とするカメラシステム（１）である。
請求項８に記載の発明は、カメラ側爪部（１０３）を備え、撮影レンズ（２１０）、及び該カメラ側爪部（１０３）をレンズ鏡筒（２００）側に設けられたレンズ側爪部（２０３）と係合させることにより前記レンズ鏡筒（２００）を装着可能なカメラ（１００）であって、前記レンズ側爪部（２０３）と前記カメラ側爪部（１０３）とが係合した状態で前記レンズ鏡筒（２００）と前記カメラ（１００）との間の締結が強くなる方向に前記レンズ鏡筒（２００）を付勢するとともに、それ自身の付勢力が調整可能な付勢手段（３０２）を備えること、を特徴とするカメラ（１００）である。
請求項９に記載の発明は、請求項８に記載のカメラ（１００）であって、前記付勢手段（３０２）は、湾曲部（３０２ａ）を有するとともに該湾曲部（３０２ａ）の一端側（３０２ｂ）がカメラ側マウント部（１０１）に固定された板バネ（３０２）であり、前記レンズ鏡筒（２００）の装着により光軸方向に移動される連動部材（１１３）を有するとともに該連動部材（１１３）の移動量に応じて前記湾曲部（３０２ａ）の他端側（３０２ｃ）の位置を一端側（３０２ｂ）に対して移動させる移動部（３０５）を備えること、を特徴とするカメラ（１００）である。
請求項１０に記載の発明は、請求項９に記載のカメラ（１００）であって、前記連動部材（１１３）の移動量は、前記レンズ鏡筒（２００）の種類により異なること、を特徴とするカメラ（１００）である。
請求項１１に記載の発明は、請求項９または１０に記載のカメラ（１００）であって、前記板バネ（３０２）は前記撮影レンズ（２１０）の光軸を中心とした円周に沿って延在し、前記移動部（３０５）は、前記レンズ鏡筒（２００）を前記カメラ（１００）に装着する装着動作の際の、前記連動部材（１１３）の前記光軸方向の移動に伴い、前記板バネ（３０２）の前記他端側（３０２ｃ）を前記円周に沿って移動させること、を特徴とするカメラ（１００）である。
請求項１２に記載の発明は、請求項９または１０に記載のカメラ（１００）であって、前記板バネ（３０２）は光軸を中心とした円周に沿って延在し、前記移動部（３０５）は、前記レンズ鏡筒（２００）を前記カメラ（１００）に装着する装着動作の際の、前記連動部材（１１３）の前記光軸方向の移動に伴い、前記板バネ（３０２）の前記他端側（３０２ｃ）を前記光軸方向に移動させること、を特徴とするカメラ（１００）である。
請求項１３に記載の発明は、請求項８〜１２のいずれか１項に記載のカメラ（１００）であって、前記付勢手段（３０２）は、前記レンズ鏡筒（２００）を前記カメラ（１００）から離れる方向に付勢すること、を特徴とするカメラ（１００）である。
請求項１４に記載の発明は、レンズ鏡筒（２００）側に設けられたレンズ側爪部（２０３）とカメラ（１００）側に設けられたカメラ側爪部（１０３）とが係合した状態で前記レンズ鏡筒（２００）と前記カメラ（１００）との間の締結が強くなる方向に前記レンズ鏡筒（２００）を付勢するとともに、それ自身の付勢力が調整可能な付勢手段（３０２）を備えるカメラ（１００）に対して装着可能なレンズ鏡筒（２００）であって、前記付勢力を調整する付勢力調整手段（２０６）を備えること、を特徴とするレンズ鏡筒（２００）である。
請求項１５に記載の発明は、請求項１４に記載のレンズ鏡筒（２００）であって、前記付勢力調整手段（２０６）は、前記レンズ鏡筒（２００）のレンズ側マウント部（２０１）に設けられ、且つ前記レンズ鏡筒（２００）の光軸方向に延びた突起（２０６）を含み、前記突起（２０６）の有無または該突起（２０６）の前記光軸方向への突出量によって、前記付勢手段（３０２）の付勢力は調整されることを特徴とするレンズ鏡筒（２００）である。
請求項１６に記載の発明は、請求項１５に記載のレンズ鏡筒（２００）であって、前記突起（２０６）の前記光軸方向の突出量は、前記レンズ鏡筒（２００）の種類により異なること、を特徴とするレンズ鏡筒（２００）である。
請求項１７に記載の発明は、請求項１５または１６に記載のレンズ鏡筒（２００）であって、該突起（２０６）は、前記付勢手段（３０２）が湾曲部（３０２ａ）を有するとともに該湾曲部（３０２ａ）の一端側（３０２ｂ）がカメラ側マウント部（１０１）に固定された板バネ（３０２）であって、連動部材（１１３）を有するとともに該連動部材（１１３）の移動量に応じて前記湾曲部（３０２ａ）の他端側（３０２ｃ）の位置を一端側（３０２ｂ）に対して移動させる移動部（３０５）を備えるカメラ（１００）において、前記レンズ鏡筒（２００）の装着により前記連動部材（１１３）を前記光軸方向に移動させること、を特徴とするレンズ鏡筒（２００）である。
請求項１８に記載の発明は、請求項１４〜１７のいずれか１項に記載のレンズ鏡筒（２００）であって、前記付勢手段（３０２）により、前記カメラ（１００）から離れる方向に付勢されること、を特徴とするレンズ鏡筒（２００）である。
【０００６】
なお、符号を付して説明した構成は、適宜改良してもよく、また、少なくとも一部を他の構成物に代替してもよい。
【発明の効果】
【０００７】
本発明によれば、レンズ鏡筒の種類に応じ、適切な力でレンズ鏡筒を付勢できるカメラシステム、カメラ及びレンズ鏡筒を提供することができる。
【発明を実施するための最良の形態】
【０００８】
以下、図面等を参照して、本発明の実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００９】
（第１実施形態）
図１はカメラ１００と、カメラ１００に対して着脱可能な交換式レンズ鏡筒２００とを備えるカメラシステム１のマウント部１０１，２０１の断面図である。ここで、このカメラシステム１においては、カメラ１００に対して、長さ、重さまたは太さの異なる複数種類のレンズ鏡筒２００が着脱可能となっている。
【００１０】
図示するように、カメラ側マウント部１０１は、カメラ１００の最も前側（Ｚプラス側）に位置するカメラ側マウント基部１０２と、カメラ側マウント基部１０２よりも後側（Ｚマイナス側）に配置された連動リング３００とを備える。
【００１１】
カメラ側マウント基部１０２は、マウント面部１０２ａと、マウント面部１０２ａのＺプラス側から光軸に向かって延びるカメラ側爪部１０３と、マウント面部１０２ａのＺマイナス側から光軸に向かって延びて連動リング３００を保持するリング保持部１０４とを備える。
【００１２】
図２はカメラ側マウント部１０１の前面図（Ｚプラス側からみた図）であり、図３はレンズ鏡筒２００と連動リング３００を示す斜視図である。また、図４は図２においてＩＶ−ＩＶ線で示す方向の断面図である。なお図４は、わかりやすく示すため、図２と異なる縮尺で示すとともに、レンズ鏡筒２００の一部も示す。
【００１３】
図２に示すように、マウント面部１０２ａは、その中央部分に被写体光が通過するカメラ側マウント開口部１０５と、Ｙマイナス側に円形のピン孔１０６と、円周方向で略等しい間隔で複数、例えば３つ設けられたバネ孔１０７とを備える。
【００１４】
ピン孔１０６には、連動ピン１１３が挿入されている。図１、図３及び図４に示すように連動ピン１１３は、カメラ側マウント基部１０２側の受け部１１４と、連動リング３００側の押圧部１１６と、両者の間に形成されたフランジ部１１５とが一体的に形成された構造となっている。
【００１５】
受け部１１４は先端側（レンズ鏡筒２００側）が丸くなったピン状に形成されている。受け部１１４は、カメラ側マウント基部１０２のピン孔１０６を貫通し、その先端側がレンズ鏡筒２００側の後述する突起２０６に臨んでいる。図４に示すように押圧部１１６は、傾斜した押圧面１１６ａを有し、連動リング３００の後述するピン開口部３０４に挿入されている。フランジ部１１５とマウント面部１０２ａとの間には引っ張りバネ１１７が配置され、連動ピン１１３をカメラ側マウント基部１０２に保持するとともに、連動ピン１１３をＺプラス方向に付勢している。
【００１６】
マウント面部１０２ａに設けられたバネ孔１０７は、後述する板バネ３０２用の略矩形の孔である。図２に示すように光軸Ａを中心とした円周に沿って、均等に３箇所に設けられている。
【００１７】
カメラ側爪部１０３は、マウント面部１０２ａの前方（Ｚプラス側）において光軸Ａ方向に突き出すように形成されている。カメラ側爪部１０３もカメラ側マウント部１０１の円周方向で略等しい間隔で複数、例えば３つ設けられている。カメラ側爪部１０３は、カメラ１００にレンズ鏡筒２００が装着された状態において、レンズ鏡筒２００のレンズ側マウント部２０１に備えられたレンズ側爪部２０３に係合することによって、カメラ１００とレンズ鏡筒２００との光軸Ａ方向への相対移動を制限する。
【００１８】
図１に示すようにリング保持部１０４は、カメラ側マウント基部１０２の後方（Ｚマイナス側）において光軸Ａ方向に突き出すように形成されている。リング保持部１０４とカメラ側マウント基部１０２の間には、凹部１０９が形成されており、その凹部１０９に連動リング３００の外周部分が嵌め込まれる。これにより連動リング３００が回転可能にカメラ側マウント部１０１に取り付けられる。
【００１９】
連動リング３００は、中央部分に、被写体光が通過する開口部３０３ａがカメラ側マウント開口部１０５に対応して形成された円環部材である。連動リング３００は、図３に示すように、カメラ側マウント部１０１に取り付けられた状態で正逆方向（Ｐ方向及びＮ方向）に回転可能となっている。また、上述のように連動リング３００には、ピン開口部３０４が形成されており、ピン開口部３０４には連動ピン１１３が、入り込んでいる。連動ピン１１３における押圧部１１６の押圧面１１６ａは、ピン開口部３０４の内面に対面している。連動ピン１１３がＺマイナス方向に押し込まれると、押圧面１１６ａがピン開口部３０４の内面に接触してその内面を押し、連動リング３００が矢印Ｐ方向に回転する。
【００２０】
また、連動リング３００の前面（Ｚプラス面）における、光軸Ａを中心とした円周方向の略等分位置に複数、例えば３つ、の板バネ３０２が配置されている。図３及び図４に示すように、板バネ３０２はＵ字状に湾曲された湾曲部３０２ａを有している。湾曲部３０２ａはカメラ側マウント基部１０２に形成されているバネ孔１０７に入り込んでいる。図４に示すように、レンズ鏡筒２００をカメラ１００に装着したとき、バネ孔１０７はレンズ鏡筒２００の後述するバネ受け座２０７と対向するようになっており、これによりバネ孔１０７内に入り込んだ湾曲部３０２ａはバネ受け座２０７との接触が可能となっている。
【００２１】
図２及び図３に示すように、板バネ３０２は連動リング３００の円周方向に沿って延びており、図４に示すように、延びている一端側３０２ｂがカメラ側マウント基部１０２に固定されている。この固定は、ねじ１１０によって板バネ３０２の一端側３０２ｂをカメラ側マウント基部１０２に結合させることにより可能である。板バネ３０２の他端側３０２ｃは自由端となっている。
【００２２】
この自由端には、それぞれ対応するカム部３０５が配置されている。カム部３０５は連動リング３００の面から段状に高くなるように形成された部分で、板バネ３０２が配置されている円周と同一の円周上において、板バネ３０２と隣接している。
【００２３】
連動リング３００が回転（図３における矢印Ｐ方向）すると、カム部３０５が板バネ３０２の他端側３０２ｃを押し、板バネ３０２が撓むようになっている。そして、板バネ３０２が撓むことにより、その湾曲部３０２ａがレンズ鏡筒２００のバネ受け座２０７を押圧する。この押圧によってカメラ１００から離れる方向にレンズ鏡筒２００を付勢するため、カメラ側爪部１０３とレンズ側爪部２０３との対向面が当接力が強まり、レンズ鏡筒２００をカメラ１００に強固に締結させることができる。
【００２４】
連動リング３００には、付勢バネ３０７が取り付けられる。付勢バネ３０７は一端が連動リング３００に形成されたピン部３０９に係止され、他端がカメラ側マウント基部１０２(図３においては図示せず）に係止される。付勢バネ３０７は連動リング３００が矢印Ｎ方向に回転するように付勢するものであり、これにより連動ピン１１３の押圧面１１６ａがピン開口部３０４の内面と常時接触することができる。
【００２５】
レンズ鏡筒２００は、カメラ側マウント部１０１部に対応したレンズ側マウント部２０１を有している。レンズ側マウント部２０１は、レンズ側マウント基部２０２と、レンズ側爪部２０３とを備える。
【００２６】
レンズ側マウント基部２０２の中央部分には、被写体光が通過するレンズ側マウント開口部２０５が形成されており、この開口部２０５内に撮影レンズ２１０が複数配置される（図１及び図３においては１枚のみ図示）。
【００２７】
図３に示すように、レンズ側爪部２０３は、レンズ側マウント基部２０２の外周面から外径側に突き出して形成されている。レンズ側爪部２０３は、光軸周りに略等しい間隔で、カメラ側爪部１０３と対応した数、例えば３つが設けられている。
【００２８】
また、レンズ鏡筒２００には前述のバネ受け座２０７が形成されている。バネ受け座２０７はレンズ鏡筒２００をカメラ１００に装着したとき、連動リング３００の板バネ３０２が接触する位置となるようにレンズ側マウント基部２０２に形成される。バネ受け座２０７は板バネ３０２と対応して３つ形成されている。
【００２９】
レンズ鏡筒２００には、突起２０６が形成されている。突起２０６はレンズ側マウント基部２０２の端面（Ｚマイナス側の端面）からカメラ側マウント部１０１の方向に所定の突出量で突出するように形成されている。突起２０６はレンズ鏡筒２００をカメラ１００に装着したとき、連動リング３００の連動ピン１１３に臨む位置となるようにレンズ側マウント基部２０２に形成される。
【００３０】
ここで、この突起２０６の突出量は、レンズ鏡筒２００の長さ、重さ、太さにより異なる。その理由を本実施形態の動作とともに説明する。
【００３１】
（１）重さ及び太さが等しく、鏡筒の長さのみ異なる２種類のレンズ鏡筒２００が存在する場合、長いレンズ鏡筒（以下、第１レンズ鏡筒２００Ａという）は突起２０６の突出量を大きくし、短いレンズ鏡筒２（以下、第２レンズ鏡筒２００Ｂという）は突起２０６の突出量を少なくするか、あるいは突起２０６を設けない。
【００３２】
その理由は、以下の通りである。
カメラ１００に取り付けた場合、長い第１レンズ鏡筒２００Ａの重心はカメラ１００側から離れた点にくる。このため、レンズ鏡筒２００Ａには、マウント部を中心としてカメラ１００に対して下方に傾くモーメントが大きくなる。すなわち、長い第１レンズ鏡筒２００Ａの場合に、板バネ３０２の付勢力が小さいと、カメラ１００を正位置に構えたときに、第１レンズ鏡筒２００Ａの先端が下に傾きやすい。これを防止するためには、板バネ３０２の付勢力を大きくする必要がある。
【００３３】
そこで、第１レンズ鏡筒２００Ａの場合、突起２０６の突出量を大きくする。この構成において、まず、図４（ａ）に示すように、カメラ１００とレンズ鏡筒２００Ａとを光軸方向に相対移動させて近づける。そして、レンズ鏡筒２００Ａとカメラ１００とを光軸周りに相対回転させ、図１に示すようにレンズ側爪部２０３をカメラ１００のカメラ側爪部１０３とカメラ側マウント基部１０２との間に挿入させる。
【００３４】
そうすると、図４（ｂ）に示すように、突起２０６が連動ピン１１３に当接して連動ピン１１３をカメラ側（Ｚマイナス側）に深く押し込む。これにより、連動ピン１１３の押圧面１１６ａがピン開口部３０４の内面を押すため連動リング３００が矢印Ｐ方向に回転する。この回転により、カム部３０５が板バネ３０２の他端側３０２ｃを押すため、板バネ３０２は湾曲部３０２ａが高くなるように撓む（図４（ｂ））。撓んだ湾曲部３０２ａは、レンズ鏡筒２００のバネ受け座２０７を強い力で押圧する。バネ力が強化された状態でレンズ側爪部２０３とカメラ側爪部１０３とが突き合わされてレンズ鏡筒２００がカメラ１００に装着される。したがって、長いレンズ鏡筒２００であっても傾くことがない強固な締結状態とすることができる。
【００３５】
一方、鏡筒の短い第２レンズ鏡筒２００Ｂのレンズ側マウント基部２０２に突起２０６を設けない場合について説明する。図５は、突起を設けない場合を説明する図であり、図４に対応している。
【００３６】
まず、図４（ａ）と同様に、図５（ａ）に示すように、カメラ１００とレンズ鏡筒２００Ｂとを光軸方向に相対移動させて近づける。そして、レンズ鏡筒２００Ｂとカメラ１００とを光軸周りに相対回転させ、レンズ側爪部２０３をカメラ１００のカメラ側爪部１０３とカメラ側マウント基部１０２との間に挿入させる。
【００３７】
その際、図５（ｂ）に示すように、レンズ鏡筒２００Ｂには突起２０６がないので連動ピン１１３はカメラ側（Ｚマイナス側）のピン開口部３０４に押し込まれない。したがって連動リング３００は回転せず、板バネ３０２の湾曲部３０２ａの高さは変化しない。板バネ３０はが大きく撓むことなく自然状態に近い状態のままでその湾曲部３０２ａがバネ受け座２０７に当接してバネ受け座２０７を押圧する。これにより、レンズ側爪部２０３とカメラ側爪部１０３とが突き合わされてレンズ鏡筒２００がカメラ１００に装着される。この装着状態では、板バネ３０２が撓むことに起因した大きなバネ力が加わっていないため、レンズ鏡筒２００を回転させる際に軽い操作力で行うことができる。
【００３８】
（２）重さ及び長さが等しく、太さのみ異なる２種類のレンズ鏡筒２００が存在する場合、太いレンズ鏡筒２００が第１レンズ鏡筒２００Ａで、細いレンズ鏡筒２００が第２レンズ鏡筒２００Ｂである。
【００３９】
その理由は、以下の通りである。
レンズ鏡筒２００がカメラ１００に装着される場合、レンズ鏡筒２００はカメラ１００に対して回転される。太い第１レンズ鏡筒２００Ａの場合、径が大きいため、使用者がレンズ鏡筒２００Ａを回転するとその回転力は光軸Ａから離れた箇所に作用する。一方、細い第２レンズ鏡筒２００Ｂの場合、径が小さいため、使用者が回転時に加える力は光軸Ａから近い箇所に作用する。すなわち、板バネ３０２の付勢力が等しい場合、第１レンズ鏡筒２００Ａでは着脱の際にレンズ鏡筒が回転しやすく、第２レンズ鏡筒２００Ｂにおいては回転しにくく感じる。
【００４０】
このため、第１レンズ鏡筒２００Ａとレンズ鏡筒２００Ｂとにおいて、レンズの着脱時に使用者に同じ感覚（力の感覚）で回転させるためには、第１レンズ鏡筒２００Ａの場合は付勢力を大きくし、第２レンズ鏡筒２００Ｂの場合は付勢力を小さくする必要がある。
【００４１】
そこで、太い第１レンズ鏡筒２００Ａの場合、突起２０６の突出量を大きくして、細い第２レンズ鏡筒２００Ｂは突起２０６の突出量を小さくか、あるいは突起２０６を設けない。これにより太い第１レンズ鏡筒２００Ａが細い第２レンズ鏡筒２００Ｂの場合よりも付勢力が大きくなるようにしている。これにより、第１レンズ鏡筒２００Ａにおいて第２レンズ鏡筒２００Ｂよりも強い付勢力を得ることができ、第１レンズ鏡筒２００Ａとレンズ鏡筒２００Ｂとにおける着脱の際の使用者における回転力の差を小さくすることができる。
【００４２】
（３）長さ及び太さが等しく、重さのみ異なる２種類のレンズ鏡筒２００が存在する場合、重いレンズ鏡筒２００が第１レンズ鏡筒２００Ａで、軽いレンズ鏡筒が第２レンズ鏡筒２００Ｂである。その理由は（１）と同様である。
【００４３】
以上、本実施形態によると、以下の効果を有する。
（１）レンズ鏡筒２００における突起２０６の有無または突出量によって板バネ３０２の撓み量を調整することができる。このため、カメラ１００へのレンズ鏡筒２００の締結力を任意に調整することができ、レンズ鏡筒２００の種類に応じて適切な力でレンズ鏡筒２００をカメラ１００に装着することができる。
（２）また、板バネ３０２の撓み量を突起２０６の突出量または有無という、簡単な構造で調整することができる。
【００４４】
（第２実施形態）
図６は本発明の第２実施形態の要部の断面図を示す。この実施形態において、上記第１実施形態と同一の部材には同一の符号を付し、その説明を省略する。
【００４５】
この第２実施形態では、連動レバー３３０を用いる。連動レバー３３０は受け部３３１と押圧部３３２とが直交するようにＬ字形に成形されている。押圧部３３２は板バネ３０２の他端側３０２ｃに係合している。受け部３３１はカメラ側マウント基部１０２のピン孔１０６を貫通してレンズ鏡筒２００側に延びている。受け部３３１は、レンズ鏡筒２００の突起２０６に臨んでいる。
【００４６】
連動レバー３３０は軸部３３３を有しており、軸部３３３がカメラ側マウント部１０１に回転可能に支持される。したがって、連動レバー３３０は軸部３３３を中心に正逆方向に回転可能となっている。さらに、連動レバー３３０には付勢バネ３４０が取り付けられる。付勢バネ３４０は軸部３３３に取り付けられたねじりバネからなり、受け部３３１がレンズ鏡筒２００側（Ｚプラス側）に突出するように付勢している。
【００４７】
長いレンズ鏡筒、重いレンズ鏡筒、または太いレンズ鏡筒２００Ａにおいては、レンズ鏡筒２００Ａのレンズ側マウント部２０１に突起２０６を設ける。この構成において、まず、図５（ａ）に示すように、カメラ１００とレンズ鏡筒２００Ａとを光軸方向に相対移動させて近づける。そして、レンズ鏡筒２００のレンズ鏡筒２００Ａとカメラ１００とを光軸周りに相対回転させ、レンズ側爪部２０３をカメラ１００のカメラ側爪部１０３とカメラ側マウント基部１０２との間に挿入させる。
【００４８】
レンズ鏡筒２００Ａがカメラ１００に装着されると、突起２０６は連動レバー３３０の受け部３３１に当接して連動レバー３３０がカメラ側（Ｚマイナス側）に押し込まれる。これにより、連動ピン１１３が軸部３３３を中心に反時計方向に回転して、図５（ｂ）に示すように押圧部３３２が板バネ３０２の他端側３０２ｃを押し、湾曲部３０２ａのピン孔１０６からの突き出し量が大きくなる。突き出した湾曲部３０２ａは、レンズ鏡筒２００のバネ受け座２０７を押圧し、バネ力が付加された状態でレンズ側爪部２０３とカメラ側爪部１０３とが突き合わされてレンズ鏡筒２００がカメラ１００に装着される。このため、長い、重いまたは太いレンズ鏡筒２００であっても傾くことがない強固な締結状態とすることができる。
【００４９】
また、短い、軽いまたは細いレンズ鏡筒２００Ｂの場合には、突起２０６を設けないかまたは突出量を小さくする。これにより、板バネ３０２が大きく撓むことなく自然状態に近い状態のままで湾曲部３０２ａがバネ受け座２０７に当接して押圧する。したがって、板バネ３０２が撓むことに起因した大きなバネ力が加わっていないため、レンズ鏡筒２００Ｂを回転させる際に軽い操作力で行うことができる。
【００５０】
（変形形態）
以上、説明した実施形態に限定されることなく、以下に示すような種々の変形や変更が可能であり、それらも本発明の範囲内である。
（１）第１実施形態では、板バネ３０２を３個としている。しかし、これに限らず、板バネ３０２の数を変更することができる。
（２）第１実施形態では、板バネ３０２の他端側３０２ｃを自由端としたが、他端側３０２ｃを連動リング３００に固定してもよい。また、第２実施形態においては、他端側３０２ｃを押圧部３３２に固定してもよい。
（３）第１実施形態では、レンズ鏡筒２００のバネ受け座２０７を板バネ３０２の数と相応する３個としたが、バネ受け座２０７及び板バネ３０２の数を３個以外の個数としてもよい。
なお、実施形態及び変形形態は、適宜組み合わせて用いることもできるが、詳細な説明は省略する。また、本発明は以上説明した実施形態によって限定されることはない。
【図面の簡単な説明】
【００５１】
【図１】本発明の第１実施形態のカメラと、カメラに対して着脱可能な交換式レンズ鏡筒とを備えるカメラシステムのマウント部の断面図である。
【図２】カメラ側マウント部の前面図である。
【図３】レンズ鏡筒と連動リングを示す斜視図である。
【図４】図２においてＩＶ−ＩＶ線で示す方向の断面図である。
【図５】突起を設けない場合を説明する図である。
【図６】本発明の第２実施形態の要部の断面図を示す。
【符号の説明】
【００５２】
１００：カメラ、１０１：カメラがマウント部、１０３：カメラ側爪部、１１３：連動ピン、２００：レンズ鏡筒、２０１：レンズ側マウント部、２０３：レンズ側爪部、２０６：突起、２１０：撮影レンズ、３０２：板バネ、３０２ａ：湾曲部、３０２ｂ：一端側、３０２ｃ：他端側
【図１】
2010066576.tif 000003
【図２】
2010066576.tif 000004
【図３】
2010066576.tif 000005
【図４】
2010066576.tif 000006
【図５】
2010066576.tif 000007
【図６】
2010066576.tif 000008